【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
各論理エンティティが他方の論理エンティティの動作をミラーリングし、直接通信するように、第１の論理エンティティおよび第２の論理エンティティをピア・ツー・ピア領域内で互いに対話するように構成するための構成手段と、
前記第１の論理エンティティのローカル・リソースおよび前記第２の論理エンティティのローカル・リソースが管理ノードからの管理コマンドのターゲット・リソースとして使用可能なように、前記第１の論理エンティティのローカル・リソースおよび前記第２の論理エンティティのローカル・リソースを、管理ノードに公開するように構成された情報手段と、
前記管理ノードからの管理コマンドを、前記第１の論理エンティティのローカル・リソースおよび前記第２の論理エンティティのローカル・リソースに向かって、選択的にアドレッシングするように構成されたアドレス手段と、
を備える、ストレージ管理を容易にするための装置。
【請求項２】
前記構成手段が、管理領域を定義する管理関係において、前記第１の論理エンティティおよび前記第２の論理エンティティと対話するように、前記管理ノードを構成するように設計される、請求項１に記載の装置。
【請求項３】
前記管理領域が、前記管理ノードおよび少なくとも１つの論理エンティティを備え、前記少なくとも１つの論理エンティティは、前記管理ノードによって管理および監視されるが、前記管理ノードを管理または監視できないように構成される、請求項２に記載の装置。
【請求項４】
前記管理領域が、互いにピア・ツー・ピア領域内の３つまたはそれ以上の論理エンティティを備え、各論理エンティティの前記ローカル・リソースが、前記管理ノードからの管理コマンドのターゲット・リソースとして使用するために前記管理ノードに公開される、請求項２に記載の装置。
【請求項５】
前記管理領域が、互いにピア・ツー・ピア領域内の論理エンティティの第１のセットと、互いにピア・ツー・ピア領域内の論理エンティティの第２のセットとを備え、各論理エンティティの前記ローカル・リソースが、管理コマンドのターゲット・リソースとして使用するために前記管理ノードに公開され、一方のセットの前記論理エンティティが他方のセットの論理エンティティと通信できない、請求項２に記載の装置。
【請求項６】
さらに前記アドレス手段が、前記第１のセットを管理コマンドの直接のターゲットとするように構成される、請求項５に記載の装置。
【請求項７】
さらに前記アドレス手段が、前記第１のセットおよび前記第２のセットを管理コマンドの直接のターゲットとするように構成される、請求項５に記載の装置。
【請求項８】
前記管理領域が、管理ピア・ツー・ピア領域内の前記管理ノードと対話できるように構成された、第２の管理ノードをさらに備え、前記管理ノードのうちの一方の障害に応答して、いずれかの管理ノードが管理動作を管理および引き継げるようにする、請求項２に記載の装置。
【請求項９】
前記ピア・ツー・ピア領域が、互いに監視および管理するために実質的に同等の権限を有するように構成された少なくとも２つの論理ノードを備える、請求項１に記載の装置。
【請求項１０】
前記ピア・ツー・ピア領域内の前記第１の論理エンティティおよび第２の論理エンティティが、前記論理エンティティのうちの一方の障害に応答して他方の論理エンティティの動作を引き継ぎ、前記障害の発生した論理エンティティがオフラインになってからの変更のセットをログ記録し、前記障害の発生した論理エンティティがオンラインに戻るのに応答して前記変更のセットを復元するように構成される、請求項１に記載の装置。
【請求項１１】
さらに前記情報手段が、前記第１の論理エンティティの前記ローカル・リソースおよび前記第２の論理エンティティの前記ローカル・リソースを、前記管理ノードにブロードキャストするように構成される、請求項１に記載の装置。
【請求項１２】
さらに前記情報手段が、前記第１の論理エンティティの前記ローカル・リソースおよび前記第２の論理エンティティの前記ローカル・リソースを、前記管理ノードがアクセス可能な中央リポジトリに登録するように構成される、請求項１に記載の装置。
【請求項１３】
前記第１の論理エンティティまたは前記第２の論理エンティティによって実行される前記ローカル・リソースに対する修正に応答して、前記第１の論理エンティティの前記ローカル・リソースおよび前記第２の論理エンティティの前記ローカル・リソースを代表するリソース定義を同期化するように構成された同期化手段をさらに備える、請求項１に記載の装置。
【請求項１４】
前記管理ノードが、前記第１の論理エンティティおよび前記第２の論理エンティティによって使用される１つまたは複数の入力／出力（Ｉ／Ｏ）チャネルとは分離された通信チャネルを介して管理コマンドを送信する、請求項１に記載の装置。
【請求項１５】
前記第１の論理エンティティおよび前記第２の論理エンティティが、共通ハードウェア・プラットフォームの論理区画（ＬＰＡＲ）を備える、前記請求項のいずれか一項に記載の装置。
【請求項１６】
前記第１の論理エンティティおよび前記第２の論理エンティティが、独立に管理可能なストレージ機能イメージ（ＳＦＩ）を定義し、さらに前記アドレス手段が、管理領域内の複数のＳＦＩに前記管理コマンドを送信するように構成される、請求項１に記載の装置。
【請求項１７】
ハードウェア・プラットフォームに動作可能に結合された第１の中央電子複合システム（ＣＥＣ）であって、前記第１のＣＥＣが、第１のプロセッサ複合システムに編成された複数の対称型マルチプロセッサと、複数の電子メモリ・デバイスと、複数の直接アクセス・ストレージ・デバイスと、複数のネットワーク入力／出力（Ｉ／Ｏ）インターフェース・デバイスと、複数の管理インターフェース・デバイスとを備え、前記ＣＥＣの前記デバイスそれぞれが、データの交換および情報の制御のために電子的に結合された、第１のＣＥＣと、
前記ハードウェア・プラットフォームに動作可能に結合された第２のＣＥＣであって、前記第２のＣＥＣが、第２のプロセッサ複合システムに編成された複数の対称型マルチプロセッサと、複数の電子メモリ・デバイスと、複数の直接アクセス・ストレージ・デバイスと、複数のネットワーク入力／出力（Ｉ／Ｏ）インターフェース・デバイスと、複数の管理インターフェース・デバイスとを備え、前記ＣＥＣの前記デバイスそれぞれが、データの交換および情報の制御のために電子的に結合された、第２のＣＥＣと、
前記第１のＣＥＣのコンピューティング・リソースを使用して動作するように定義された第１の論理区画（ＬＰＡＲ）と、前記第２のＣＥＣのコンピューティング・リソースを使用して動作するように定義された第２のＬＰＡＲとを備える、少なくとも１つのストレージ機能イメージ（ＳＦＩ）であって、前記第１のＬＰＡＲおよび第２のＬＰＡＲがデータの格納および取り出し専用である、少なくとも１つのＳＦＩと、
前記第１のＣＥＣのコンピューティング・リソースを使用して動作するように定義された第３の論理区画（ＬＰＡＲ）と、前記第２のＣＥＣのコンピューティング・リソースを使用して動作するように定義された第４のＬＰＡＲとを備える、少なくとも１つのストレージ・アプリケーション・イメージ（ＳＡＩ）であって、前記第３のＬＰＡＲおよび第４のＬＰＡＲがデータ・ストレージ・アプリケーション専用である、少なくとも１つのＳＡＩと、
各ＬＰＡＲが他方のＬＰＡＲの動作をミラーリングし、直接通信するように、前記第１のＬＰＡＲおよび前記第２のＬＰＡＲをピア・ツー・ピア領域内で互いに対話するように構成し、各ＬＰＡＲが他方のＬＰＡＲの動作をミラーリングし、直接通信するように、前記第３のＬＰＡＲおよび前記第４のＬＰＡＲをピア・ツー・ピア領域内で互いに対話するように構成する、構成モジュールと、
前記少なくとも１つのＳＦＩおよび前記少なくとも１つのＳＡＩのローカル・リソースが管理ノードからの管理コマンドのターゲット・リソースとして使用可能なように、前記少なくとも１つのＳＦＩおよび前記少なくとも１つのＳＡＩのローカル・リソースを、管理ノードに公開するように構成された情報モジュールと、
前記管理ノードからの管理コマンドを、前記少なくとも１つのＳＦＩおよび前記少なくとも１つのＳＡＩのローカル・リソースに向かって、選択的にアドレッシングするように構成されたアドレス・モジュールと、
を備える、ストレージ管理を容易にするためのシステム。
【請求項１８】
各論理エンティティが他方の論理エンティティの動作をミラーリングし、直接通信するように、第１の論理エンティティおよび第２の論理エンティティをピア・ツー・ピア領域内で互いに対話するように構成するステップと、
前記第１の論理エンティティのローカル・リソースおよび前記第２の論理エンティティのローカル・リソースが管理ノードからの管理コマンドのターゲット・リソースとして使用可能なように、前記第１の論理エンティティのローカル・リソースおよび前記第２の論理エンティティのローカル・リソースを、管理ノードに公開するステップと、
前記管理ノードからの管理コマンドを、前記第１の論理エンティティのローカル・リソースおよび前記第２の論理エンティティのローカル・リソースに向かって、選択的にアドレッシングするステップと、
を含む、ストレージ管理を容易にするための方法。
【請求項１９】
請求項１８に記載の方法のすべてのステップをコンピュータに実行させるためのコンピュータ・プログラム。